(57)【要約】本発明は傾斜面を有する靴底及びこれを備える膝関節靴に係り、さらに詳しくは、履物の靴底に形成された傾斜面により足が内側または外側に向かって傾いたり滑ったりしながら非正常的な下肢骨格アライメントが校正され、膝関節に偏って加えられる荷重を均一に分散させて退行性膝関節炎の予防及び痛症緩和を図るための傾斜面を有する靴底及びこれを備える膝関節靴に関する。  また、本発明は、履物の底面に貼着される靴底において、靴底は天面と底面とが互いに並ぶように形成され、幅方向に形成された傾斜面により区画された上部部材と下部部材を備えてなる傾斜構造であり、上部部材と下部部材との間に傾斜方向に剪断変形を引き起こす変形部材が履物の長手方向の前方及び後方の両終端から所定の間隔を除く残りの部分に配設されることを特徴とする傾斜面を有する靴底を実現している。【選択図】図４
2011520548.tif 000002
【特許請求の範囲】
【請求項１】
履物（１００、２００、７００、８００）の底面に貼着される靴底（１２０、２２０、３２０、４２０、７２０、８２０）において、
前記靴底（１２０、２２０、３２０、４２０、７２０、８２０）は、
幅方向に形成された傾斜面（１２３ａ、３２３ａ、３２３ｂ、４２３ａ、４２３ｂ）により区画された上部部材（１２２、３２２、４２２）と下部部材（１２４、３２４、４２４）を備えてなる傾斜構造であることを特徴とする傾斜面を有する靴底。
【請求項２】
前記上部部材（１２２、３２２、４２２）の天面（１００ｃ）と前記下部部材（１２４、３２４、４２４）の底面（１００ｄ）が互いに並ぶように形成されていることを特徴とする請求項１に記載の傾斜面を有する靴底。
【請求項３】
前記傾斜構造は、前記上部部材（１２２、３２２、４２２）の硬度が前記下部部材（１２４、３２４、４２４）の硬度よりも小さいことを特徴とする請求項１に記載の傾斜面を有する靴底。
【請求項４】
前記傾斜構造は、前記上部部材（１２２、３２２、４２２）と前記下部部材（１２４、３２４、４２４）との間に前記傾斜面（１２３ａ、３２３ａ、３２３ｂ、４２３ａ、４２３）に沿って剪断変形を引き起こす変形部材（１２３、３２３、４２３）がさらに介装されてなることを特徴とする請求項１に記載の傾斜面を有する靴底。
【請求項５】
前記変形部材（１２３、３２３、４２３）は、履物の長手方向の前方及び後方の両終端から所定の間隔を除く残りの部分に配設されることを特徴とする請求項４に記載の傾斜面を有する靴底。
【請求項６】
前記傾斜構造は、足裏中心部に形成されたアーチ部に対応するアーチ形状を呈することを特徴とする請求項１に記載の傾斜面を有する靴底。
【請求項７】
前記傾斜構造は、履物の長手方向の前方から後方に進むにつれて傾斜面（１２３ａ、３２３ａ、３２３ｂ、４２３ａ、４２３ｂ）の傾斜角が増加することを特徴とする請求項１に記載の傾斜面を有する靴底。
【請求項８】
前記傾斜構造は、
Ｏ字脚を持った者の着用のために幅方向に形成された傾斜面（１２３ａ、３２３ａ、３２３ｂ、４２３ａ、４２３ｂ）の最低部が前記靴底（１２０、２２０、３２０、４２０、７２０、８２０）の内側に形成されていることを特徴とする請求項１または請求項４に記載の傾斜面を有する靴底。
【請求項９】
前記傾斜構造は、
Ｘ字脚を持った者の着用のために幅方向に形成された傾斜面（１２３ａ、３２３ａ、３２３ｂ、４２３ａ、４２３ｂ）の最低部が前記靴底（１２０、２２０、３２０、４２０、７２０、８２０）の外側に形成されていることを特徴とする請求項１または請求項４に記載の傾斜面を有する靴底。
【請求項１０】
前記傾斜構造は、
前記靴底（１２０、３２０、４２０）の幅方向の断面が逆台形状を呈するように前記靴底（１２０、３２０、４２０）の内側辺（１００ａ）が外側辺（１００ｂ）に向かって所定の傾斜角（α）で傾設されるか、あるいは、前記外側辺（１００ｂ）が前記内側辺（１００ａ）に向かって所定の傾斜角（α）で傾設され、且つ、前記傾斜角（α）は０°＜α≦６０°の範囲であり、前記靴底（１２０、３２０、４２０）の内側辺（１００ａ）または外側辺（１００ｂ）のうち前記傾斜面（１２３ａ、３２３ａ、３２３ｂ、４２３ａ、４２３ｂ）の最低部が形成された方の側辺に形成されていることを特徴とする請求項１または請求項４に記載の傾斜面を有する靴底。
【請求項１１】
請求項１０に記載の靴底（１２０、３２０、４２０）を備えることを特徴とする膝関節靴。
【請求項１２】
前記膝関節靴は、前記靴底（１２０、３２０、４２０）の前記傾斜構造と同じ構造で形成された敷底を備えてなることを特徴とする請求項１１に記載の膝関節靴。
【請求項１３】
敷底（２５０、７５０、８５０）付き履物（２００、７００、８００）において、前記敷底（２５０、７５０、８５０）は、請求項１０に記載の傾斜構造を有することを特徴とする膝関節靴。
【発明の詳細な説明】
【技術分野】
【０００１】
本発明は傾斜面を有する靴底及びこれを備える膝関節靴に係り、さらに詳しくは、靴底に形成された傾斜面により足が内側または外側に向かって傾いたり滑ったりしながら非正常的な下肢骨格アライメントが校正される傾斜面を有する靴底及びこれを備える膝関節靴に関する。
【背景技術】
【０００２】
膝関節は、人間が四足で支えるべき生体の重さを両足で支えて倒れることなく直立できるようにバランスを取らせる人体部位である。このため、膝関節は、我々が知らないうちに身体のバランスを維持するために少しずつ動いている。
このとき、最も理想的には、体重の中心が膝関節の中心を通過しなければならない。
しかしながら、大勢の人々は体重の中心が膝関節の中心を通過せず、膝関節の一部分に大きな荷重が持続的に作用してしまう。これにより、膝関節は、加齢に伴い退行性変化が最も頻繁に発生する部位の一つである。また、誤った歩行習慣により非正常的な下肢骨格アライメントを有することになり、これにより、膝関節の一部に大きな荷重が持続的に作用することになる。
【０００３】
退行性膝関節炎は、立ちそうとしたときに膝が痛んだり、立っているときに膝がぶるぶる震えたり、膝を曲げたり伸ばしたりするときに音がしたり、まっすぐに立った姿勢で両膝の間に握りこぶしが入る程度に開く症状が現れる。また、階段を降りるときに痛症が特にひどいか、あるいは、歩いた後に２〜３日以上痛症が持続するなどの症状が現れると、疑いを抱くべき疾患である。
関節炎の治療目的は、痛症軽減と関節の柔軟性増加にあるが、ほとんどの関節炎は完治が不可である。軽微な症状である場合には持続的な物理治療、薬物療法または体重減少などを通じて痛症及び硬直症状を緩和することができる。しかしながら、症状がひどい関節炎患者は、手術を通じて痛症を減少させたり再建術を通じて関節機能を修復することができる。しかしながら、このような手術は高費用がかかるだけではなく、煩雑であるため、手術できない場合が多い。
【０００４】
図１は、Ｏ字脚の右側の下肢アライメントを示す正面図であり、図２は、Ｘ字脚の右側の下肢アライメントを示す正面図である。図１及び図２に示すように、Ｏ字脚を持った者の下肢アライメント１とＸ字脚を持った者の下肢アライメント９において、機械軸５０は大腿骨頭中心３から距骨頭中心５までを結んだ線を示し、湾曲軸７０は大腿骨頭中心３と膝関節中心７を結んだ線を意味する。
一般に、Ｏ字脚（内反膝）は、湾曲軸７０が機械軸５０の外側に向かって傾斜した場合であり、膝をまっすぐに伸ばした状態で、ひざの骨をまっすぐ正面に向けまっすぐに立った状態で、両膝の間が開いてＯの字に見えるしまう状態のことをいう。Ｘ字脚（内反膝）は、湾曲軸７０が機械軸５０の内側に向かって傾斜した場合であり、Ｏ字脚と同様に膝をまっすぐに伸ばした状態でひざの骨をまっすぐ正面に向けると、足首関節の間が開いてしまう状態のことをいう。湾曲軸７０と機械軸５０との間の傾斜角βの値が大きいほどＯ字脚とＸ字脚の度合いが激しい。
【０００５】
これらのＯ字脚とＸ字脚のように、非正常的な下肢骨格アライメントは先天的な要因もしくは後天的な要因に起因して発生するものであり、膝関節の一部に荷重が集中するため、退行性膝関節炎が発生したり、膝関節が減ったりする。
このように退行性膝関節炎の苦痛を緩和・予防し、且つ、非正常的な下肢骨格アライメントを校正するために、歩行時に足が内側に向かって傾くように形成された履物を利用する。
【０００６】
図３は、従来の非正常的な下肢骨格アライメントを持った者または退行性膝関節炎を訴える者が着靴する履物の背面図である。図３に示すように、足が履物の内側に向かって傾くように形成された靴底１４と甲皮１２付き履物１０を形成して履物１０を履いて地面５００を歩行したとき、足と脚のそのものが履物の内側に向かって傾斜するようにし、膝を内側に移動させる回転力を誘発するような方法により非正常的な下肢骨格アライメントを校正したり退行性膝関節炎を治療したりしていた。
しかしながら、この種の履物１０を履いて歩行をすると、靴底１４の傾斜に起因して足が内側に過度に滑り込んでしまうため、足首と膝関節に過度な剪断力が発生する。そして、足が滑ることを極力阻止するために脚に力を入れ過ぎてしまうと、足の奥部と膝に強い荷重が作用してむしろ退行性膝関節炎が悪化する虞がある。
【発明の概要】
【発明が解決しようとする課題】
【０００７】
本発明は上述した事情に鑑みてなされたものであり、その目的は、靴底に形成された傾斜面により足が内側または外側に向かって傾いたり滑ったりしながら非正常的な下肢骨格アライメントが校正される傾斜面を有する靴底及びこれを備える膝関節靴を提供するところにある。
【課題を解決するための手段】
【０００８】
上述した本発明の目的は、履物の底面に貼着される靴底において、前記靴底は、幅方向に形成された傾斜面により区画された上部部材と下部部材を備えてなる傾斜構造であることを特徴とする傾斜面を有する靴底により達成可能である。
このとき、上部部材の天面と前記下部部材の底面が互いに並ぶように形成される。そして、傾斜構造は上部部材の硬度が下部部材の硬度よりも小さい。
【０００９】
また、傾斜構造は、上部部材と下部部材との間に傾斜面に沿って剪断変形を引き起こす変形部材がさらに介装される。このとき、変形部材は履物の長手方向の前方及び後方の両終端から所定の間隔を除く残りの部分に配設される。
さらに、傾斜構造は、人間の足裏の中心部に形成されたアーチ部に対応するアーチ状を呈している
さらにまた、傾斜構造は、履物の長手方向の前方から後方に進むにつれて傾斜面の傾斜が大きくなる。
【００１０】
上述した傾斜構造は、Ｏ字脚を持った者の着用のために幅方向に形成された傾斜面の最低部が前記靴底の内側に形成される。
さらに、傾斜構造は、Ｘ字脚を持った者の着用のために幅方向に形成された傾斜面の最低部が前記靴底の外側に形成される。
さらにまた、傾斜構造は、靴底の幅方向の断面が逆台形状を呈するように靴底の内側辺が外側辺に向かって、または、外側辺が内側辺に向かって所定の傾斜角で傾設され、傾斜角は０°＜α≦６０°の範囲内において靴底の内側辺または外側辺のうち傾斜面の最低部が形成された方の側辺に形成される。
【００１１】
別のカテゴリとして、本発明の目的は、上述した靴底を備えることを特徴とする膝関節靴により達成可能である。
このとき、膝関節靴は靴底の傾斜構造と同じ構造で形成された敷底を備えてなる。
さらに別のカテゴリとして、本発明の目的は、敷底が設けられた履物において、敷底は、上述した傾斜構造を有することを特徴とする膝関節靴により達成可能である。
【発明の効果】
【００１２】
本発明によれば、膝の一部に偏って加えられていた荷重を均一に分散させて退行性膝関節炎の痛症を緩和し、且つ、膝関節炎の発生を未然に防止することができるという効果がある。
また、正常的な下肢骨格アライメントから外れたＯ字脚とＸ字脚を持った者の場合には脚の形状に合う靴底を選択し、これを適用した履物が着靴可能であるため湾曲した脚のアライメントを校正することができるという効果がある。これにより、湾曲した脚の形状が校正されて正しい歩行姿勢と正しい身体構造が確立される。
【図面の簡単な説明】
【００１３】
この明細書に添付される図面は本発明の好適な実施形態を例示するものであり、発明の詳細な説明とともに本発明の技術思想を一層具体的に理解させる役割を果たすものであるため、本発明はこれらの図面に記載の事項にのみ限定されて解釈されてはならない。
【００１４】
【図１】Ｏ字脚の右側下肢アライメントの正面図
【図２】Ｘ字脚の右側下肢アライメントの正面図
【図３】従来の非正常的な下肢アライメント骨格を持った者または退行性膝関節炎を訴える者が着靴する履物の背面図
【図４】本発明の第１の実施形態に従い製作された、Ｏ字脚を持った者が着靴する履物の幅方向断面図
【図５】本発明の第２の実施形態に従い製作された靴底の分解断面図
【図６】本発明の第２の実施形態に従い製作された、Ｏ字脚を持った者が着靴する履物の背面図
【図７】本発明の第３の実施形態に従い製作された履物の背面図
【図８】図７に示す履物をＯ字脚を持った者が着靴して歩行する状態を示す状態図
【図９】本発明の第４の実施形態に従い製作された、Ｏ字脚を持った者の着靴のための靴底の斜視図
【図１０】本発明の第４の実施形態に従い製作された、Ｏ字脚を持った者の着靴のための靴底の底面図
【図１１】図１０の左側面図
【図１２】図１０の右側面図
【図１３】図１０のＡ−Ａ線断面図
【図１４】本発明の第５の実施形態による下部部材の斜視図
【図１５】本発明の第５の実施形態に従い製作された、Ｏ字脚を持った者の着靴のための靴底の底面図
【図１６】図１５の左側面図
【図１７】図１５の右側面図
【図１８】図１５のＢ−Ｂ線断面図
【図１９】図１５のＣ−Ｃ線断面図
【図２０】図１５のＤ−Ｄ線断面図
【図２１】本発明の変形例による靴底の左側面図
【図２２】本発明の第６の実施形態に従い製作された履物の幅方向断面図
【図２３】本発明の第７の実施形態に従い製作された履物の幅方向断面図
【図２４】本発明の第８の実施形態に従い製作された履物の幅方向断面図
【図２５】本発明の第９の実施形態による敷底を有する膝関節靴の縦断面図
【図２６】本発明の第１０の実施形態による敷底を有する膝関節靴底の縦断面図
【発明を実施するための形態】
【００１５】
本発明において説明される内反膝は、膝をまっすぐに伸ばした状態で、ひざの骨をまっすぐ正面に向けまっすぐに立った状態で、両膝の間が開いてＯの字に見えるしまう状態のことをいい、俗称Ｏ字脚という。また、外反膝は、内反膝と同様に膝をまっすぐに伸ばした状態でひざの骨をまっすぐ正面に向けると、足首関節の間が開いてしまう状態のことをいい、俗称Ｘ字脚という。
【００１６】
加えて、本発明において説明されるＯ字脚を持った者は、先天的に下肢骨格アライメントがＯ字状であるか、あるいは、後天的に下肢骨格アライメントがＯ字状に変形された者と膝の内側に痛症を訴える者をいずれも含むものとする。また、Ｘ字脚を持った者は先天的に下肢骨格アライメントがＸ字状であるか、あるいは、後天的に下肢骨格アライメントがＸ字状に変形された者と膝の外側に痛症を訴える者をいずれも含むものとする。
以下、添付図面に基づき、本発明の好適な実施形態を詳述する。
【００１７】
＜靴底の構成＞
（第１の実施形態）
図４は、本発明の第１の実施形態に従い製作された、Ｏ字脚を持った者が着靴する履物の幅方向断面図である。同図に示すように、靴底１２０と甲皮１１０を備える履物１００の靴底１２０は、幅方向に区画された傾斜面１２３ａにより形成された上部部材１２２と下部部材１２４を備えて傾斜構造で形成される。本発明においては、履物１００を着靴する者の下肢骨格アライメントに応じて履物１００の内側または外側に向かって傾斜するように傾斜面１２３ａを形成して傾斜構造の靴底１２０を製作する。
このとき、靴底１２０の天面１００ｃと底面１００ｄは互いに並ぶように形成される。また、下部部材１２４は上部部材１２２よりも硬度（硬さ）が大きい材質から製作される。
【００１８】
図４に示すように、傾斜面１２３ａの最低部が靴底１２０の内側に形成されるように靴底１２０を製作してＯ字脚を持った者が着靴できるようにする。すなわち、靴底１２０付き履物１００を履いて歩行をすると、上部部材１２２の硬度が下部部材１２４の硬度よりも小さいため、傾斜面１２３ａの最低部が形成された上部部材１２２の内側変形量が上部部材１２２の外側変形量を上回ることになる。これにより、足が自然に靴底１２０の内側に向かって傾く。このように持続的に履物１００を履いて歩行をすると、靴底１２０の内側に向かって足が傾きながらＯ字脚が校正される。
【００１９】
図４とは逆に、傾斜面１２３ａの最低部が靴底１２０の外側に形成されるように靴底１２０を製作してＸ字脚を持った者が着靴できるようにする。上述したように、上部部材１２２の硬度が下部部材１２４の硬度よりも小さいため、傾斜面１２３ａの最低部が形成された上部部材１２２の外側変形量が内側変形量に比べて大きくなる。すなわち、Ｘ字脚を持った者が靴底１２０付き履物１００を着靴して歩行する間に自然に靴底１２０の外側に向かって足が傾いてＸ字脚が校正される。なお、膝の外側に集中していた荷重が膝の全体に分散されて退行性膝関節炎を予防し、その症状を緩和することができる。
【００２０】
（第２の実施形態）
図５は、本発明の第２の実施形態に従い製作された靴底の分解断面図である。図５に示すように、靴底１２０は、天面１００ｃと底面１００ｄが互いに並ぶように形成され、上部部材１２２と下部部材１２４との間には傾斜面１２３ａ、１２３ｂに沿って剪断変形を引き起こす変形部材１２３が介装されて傾斜構造が形成される。このとき、変形部材１２３は上部部材１２２と下部部材１２４とを区画する傾斜面１２３ａ、１２３ｂと同じ傾斜をもって形成される。すなわち、靴底１２０の上部から加えられる力により変形部材１２３の剪断変形が傾斜面１２３ａ、１２３ｂの方向に引き起こされ、これにより、上部部材１２２が傾斜面１２３ａ、１２３ｂに向かって滑りながら履物１００を履いた者の足に内側または外側にモーメントが作用するようにして非正常的に変形されていた下肢骨格アライメントが正常的に校正される。このとき、変形部材１２３は上部部材１２２に加えられる圧力により柔軟に変形されるゲル状の合成樹脂、ゴム、シリコン、エチレンビニールアセテート（ＥＶＡ：Ethylene Vinyl Acetate）、ポリウレタン（ＰＵ：Poly  Urethane）、クロロプレンゴム（ＣＲ：Chloroprene Rubber）、ネオプレンなどから製作されて、変形部材１２３の剪断変形が傾斜面１２３ａの方向に円滑に起こるようにする。
【００２１】
図６は、本発明の第２の実施形態に従い製作された、Ｏ字脚を持った者が着靴する履物の背面図である。図６に示すように、変形部材１２３は、上部部材１２２が靴底１２０の内側に向かって滑り込むように傾設されてＯ字脚を持った者が着靴できるようにする。このとき、靴底１２０の天面１００ｃと底面１００ｄは互いに並ぶように形成される。
すなわち、Ｏ字脚を持った者が本発明による靴底１２０付き履物１００を履いて地面５００を歩行すると、上部部材１２２は上から押さえる力と柔軟に変形される変形部材１２３により靴底１２０の内側に向かって滑り込む。仮想線の上部部材１２２と変形部材１２３は、実線のように変形される。Ｏ字脚を持った者の足６００は変形部材１２３の変形により靴底１２０の内側に向かって滑り込みながら下腿を生体の外側に回転させる回転モーメントが発生する。
このモーメントによりＯ字脚を持った者の左右膝はそれらの間の間隔が狭くなって「｜｜」字状の膝に校正される。また、膝の内側に集中していた荷重が膝の全体に分散されて退行性膝関節炎を予防し、その症状を緩和することができる。
【００２２】
図６とは逆に、変形部材１２３は、上部部材１２２が靴底１２０の外側に向かって滑るように傾設されてＸ字脚を持った者が着靴できるようにする。
すなわち、「Ｘ」字脚を持った者が本発明による靴底１２０付き履物１００を履いて地面５００を歩行すると、上部部材１２２は上から押さえる力と柔軟に変形される変形部材１２３により靴底１２０の外側に向かって滑る。Ｘ字脚を持った者の足６００は変形部材１２３の変形により靴底１２０の外側に向かって滑りながら下腿を生体の内側に回転させる回転モーメントが発生する。
このモーメントによりＸ字脚を持った者の左右膝はそれらの間の間隔が広くなって「｜｜」字状の膝に校正される。また、膝の外側に集中していた荷重が膝の全体に分散されて退行性膝関節炎を予防し、その症状を緩和することができる。
【００２３】
（第３の実施形態）
図７は、本発明の第３の実施形態に従い製作された履物の背面図であり、図８は、図７に示す履物をＯ字脚を持った者が着靴して歩行する状態を示す状態図である。図７及び図８に示すように、靴底１２０は幅方向の断面が逆台形状を呈するように靴底１２０の内側辺１００ａが外側辺１００ｂに向かってまたは外側辺１００ｂが内側辺１００ａに向かって所定の傾斜角αで傾斜して傾斜構造が形成される。このとき、傾斜角αの範囲は０°＜α≦６０°であり、靴底１２０において、傾斜面１２３ａ、１２３ｂの最低部が形成された方の側辺に形成される。
【００２４】
図７に示すように、上部部材１２２と変形部材１２３及び下部部材１２４からなる靴底１２０は地面５００に履物１００をおいたときに内側辺１００ａが外側辺１００ｂに対して傾斜角αで傾斜して傾斜面１２３ａ、１２３ｂの最低部が靴底１２０の内側に形成された靴底１２０付き履物をＯ字脚を持った者が着靴できるようにする。靴底１２０の幅方向断面は逆台形状である。傾斜角αはＯ字脚の湾曲の度合いに応じて調節可能である。傾斜角αが６０°を超えると靴底１２０の内側への変化があまりにも激しくなるため傾斜角αは６０°を超えないようにすることが好ましい。本発明においては、傾斜角αが約１５°になるように靴底１２０を形成している。
【００２５】
図８に示すように、靴底１２０の内側辺１００ａは外側辺１００ｂに対して傾斜角αで傾設されているため、上部部材１２２と下部部材１２４の重心が一致しなくなる結果、上部部材１２２が変形部材１２３の傾斜面１２３ａ、１２３ｂの方向に容易に靴底１２０の内側に向かって滑り込みながら変形されてしまう。
すなわち、上部部材１２２が変形部材１２３の傾斜面１２３ａ、１２３ｂの方向に滑りながらＯ字脚を持った者の足６００が靴底１２０の内側に向かって滑り込んで非正常的な下肢骨格アライメントが校正される。
【００２６】
図７とは逆に、上部部材１２２と変形部材１２３及び下部部材１２４からなる靴底１２０は、地面５００に履物１００をおいたときに外側辺１００ｂが内側辺１００ａに対して所定の傾斜角αで傾斜して傾斜面１２３ａの最低部が靴底１２０の外側に形成された靴底１２０付き履物１００をＸ字脚を持った者が着靴できるようにする。このときの傾斜角αの範囲は０°＜α≦６０°であり、靴底１２０の幅方向断面は逆台形状である。傾斜角αが６０°を超えると、靴底１２０の外側への変化があまりにも激しくなるため傾斜角αは６０°を超えないようにすることが好ましい。
【００２７】
図８とは逆に、靴底１２０の外側辺１００ｂは内側辺１００ａに対して傾斜角αで傾設されているため、上部部材１２２と下部部材１２４の重心が一致しなくなる結果、上部部材１２２が変形部材１２３の傾斜面１２３ａ、１２３ｂの方向に容易に靴底１２０の外側に向かって滑りながら変形される。
すなわち、上部部材１２２が変形部材１２３の傾斜面の方向に滑りながらＸ字脚を持った者の足６００が靴底１２０の外側に向かって滑って非正常的な下肢骨格アライメントが校正される。
【００２８】
本発明に従い製作された靴底１２０は、非正常的な下肢骨格アライメントを正常的に校正して膝関節の一部に集中して加えられる荷重を均一に分散させることができ、膝関節の一部に荷重が集中して加えられながら発生される退行性膝関節炎を予防し、痛症を緩和することができる。
本発明の第３の実施形態に示す傾斜角αを第１の実施形態に適用して断面が逆台形状である靴底１２０を形成することができる。
【００２９】
（第４の実施形態）
図９は、本発明の第４の実施形態によるＯ字脚を持った者の着靴のための靴底の斜視図であり、図１０は、本発明の第４の実施形態によるＯ字脚を持った者の着靴のための靴底の底面図であり、図１１は図１０の左側面図である。そして、図１２は、図１０の右側面図である。図９から図１２に示すように、本発明の第４の実施形態による靴底３２０は、上部部材３２２、下部部材３２４、上部部材３２２と下部部材３２４との間に介装される変形部材３２３からなる。
【００３０】
本発明の第４の実施形態による靴底３２０は、図９から図１２に示すように、靴底３２０の底面の一方の側に人間の足裏の中心部に形成されたアーチ部に対応する形状のアーチ状ドームが形成される。このアーチ状ドームは、履物の中心の一方の側、好ましくは、人間の足裏に形成されたアーチ部に対応する位置に形成されることが好ましい。
【００３１】
図１３は図１０のＡ−Ａ線断面図であり、図１４は、本発明の第４の実施形態による下部部材の斜視図である。本発明の第４の実施形態による下部部材３２４は、図１３及び図１４に示すように、全体的に底面は地面と並ぶように形成され、天面は靴底３２０の長手方向に沿ってアーチ状に形成される。また、図１３に示すように、幅方向には内側または外側のうち一方の側が他方の側よりも高くなるように傾斜面３２３ａ、３２３ｂが形成される。これらの傾斜面３２３ａ、３２３ｂは履物を着靴する者の下肢骨格アライメントに応じて内側または外側が高くなるように形成される。例えば、靴底３２０の幅方向内側の高さＨ1 と外側の高さＨ2 が１：１.５〜１：２の割合、すなわち、内側の高さＨ1 が１ｃｍであるときに外側の高さＨ2 は１．５ｃｍ〜２ｃｍになるように形成する。このとき、傾斜面３２３ａ、３２３ｂの方向及び高さは履物を着靴する者の骨格アライメント状態または膝の痛症の度合いに応じて種々に変更することができる。下部部材３２４は、上部部材３２２よりも硬度（硬さ）が大きい材質から製作する。
【００３２】
また、図１３及び図１４に示すように、下部部材３２４の傾斜面３２３ｂの最低部が靴底３２０の内側に形成されるように製作してＯ字脚を持った者が着靴できるようにする。すなわち、この靴底３２０付き履物を履いて歩行すると、全体として上部部材３２２の硬度が下部部材３２４の硬度よりも小さいため、傾斜面３２３ａ、３２３ｂの最低部が形成された靴底３２０の内側変形量が外側変形量よりも大きくなって着用者の足が自然に靴底３２０の内側に向かって傾く。このように、本発明による靴底３２０付き履物を持続的に履いて歩行すると、膝と足が生体の内側に向かって傾きながらＯ字脚が校正される。
【００３３】
これとは逆に、Ｘ字脚を持った者が着靴するためには下部部材３２４の傾斜面３２３ｂの最低部が靴底３２０の外側に形成されるように製作する。このように傾斜面３２３ｂの最低部が靴底３２０の外側を向くように形成すると、Ｏ字脚を持った者のための靴底３２０と同じ原理に基づいて着用者の足が靴底３２０の外側に向かって傾く。
上述した構成を有する靴底３２０によりＯ字脚とＸ字脚が校正されると、膝の内側または外側に集中していた荷重が膝の全体に分散されて退行性膝関節炎を予防し、その症状を緩和することができる。
【００３４】
本発明の第４の実施形態による変形部材３２３は、傾斜面３２３ａ、３２３ｂの傾斜方向に剪断変形を発生させる。このとき、変形部材３２３は上部部材３２２と下部部材３２４とを区画する傾斜面３２３ａ、３２３ｂと同じ傾斜をもって形成される。すなわち、靴底３２０の上部から加えられる力により変形部材３２３が傾斜面３２３ａ、３２３ｂに沿って滑りながら履物を着靴した者の足の内側または外側にモーメントが作用するようにして非正常的に変形されていた下肢骨格アライメントが一層円滑かつ正常的に校正されるようにする。このような変形部材３２３の材質としては、ゲル状の合成樹脂、ゴム、シリコン、エチレンビニールアセテート、ポリウレタン、クロロプレンゴムなどを使用する。
【００３５】
上述した構成を有する靴底３２０は、一層円滑な校正のために、図１３に示すように、幅方向の断面が逆台形状を呈するように靴底３２０の内側辺が外側辺に向かってまたは外側辺が内側辺に向かって所定の傾斜角αで傾斜する。このとき、好ましくは、傾斜角αは０°〜６０°の範囲内である。この傾斜角αは、履物を着用する者の膝の状態及び痛症の状態に応じて変更可能である。しかしながら、好適な傾斜角αは１０°〜２０°である。もし、傾斜角が６０°を超えると靴底３２０の変化があまりにも激しくなるため傾斜角αは６０°を超えないようにすることが好ましい。
【００３６】
Ｏ字脚を持った者が着靴するためには、図１３に示すように、内側辺が外側辺に対して傾斜角αで傾斜して上部部材３２２と下部部材３２４の重心が一致しなくなる結果、靴底３２０が変形部材３２３の剪断変形により一層容易に生体の内側に向かって滑り込むためＯ字脚が校正される。
【００３７】
また、Ｘ字脚を持った者が着靴するためには、図１３とは逆に、外側辺が内側辺に対して傾斜角αで傾斜する。このように傾斜が形成されると、歩行時に中心が生体の外側に向かって滑るため、Ｘ字脚が校正される。
【００３８】
（第５の実施形態）
図１５は、本発明の第５の実施形態に従い製作された、Ｏ字脚を持った者の着靴のための靴底の底面であり、図１６は、図１５の左側面図であり、そして図１７は、図１５の右側面図である。図１５から図１７に示すように、本発明の第５の実施形態による靴底４２０は、上部部材４２２、下部部材４２４、上部部材４２２と下部部材４２４との間に介装される変形部材４２３からなる。
【００３９】
図１８は、図１５のＢ−Ｂ線断面図であり、図１９は、図１５のＣ−Ｃ線断面図であり、そして図２０は、図１５のＤ−Ｄ線断面図である。本発明の第５の実施形態による靴底４２０は、図１８から図２０に示すように、幅方向に区画された変形部材４２３により形成された上部部材４２２と下部部材４２４を備えて傾斜構造で形成される。本発明においては、履物を着靴する者の下肢骨格アライメントに応じて履物の内側または外側に向かって滑るように変形部材４２３を形成して傾斜構造の靴底４２０を製作する。
【００４０】
このとき、靴底４２０の天面と底面、すなわち、上部部材４２２の天面と下部部材４２４の底面は互いに並ぶように形成される。また、下部部材４２４は上部部材４２２よりも硬度が大きい材質から製作される。
【００４１】
図１５から図２０は、Ｏ字脚を持った者が着靴できるように変形部材４２３の最低部が靴底４２０の内側に形成されるように靴底４２０を製作する。すなわち、靴底４２０付き履物を履いて歩行すると、上部部材４２２の硬度が下部部材４２４の硬度よりも小さいため、変形部材４２３の最低部が形成された上部部材４２２の内側変形量が上部部材４２２の外側変形量を上回る結果、足が自然に靴底４２０の内側に向かって傾く。例えば、靴底４２０の幅方向内側の高さＨ3 と外側の高さＨ4 が１：１．５〜１：２の割合、すなわち、内側の高さＨ3 が１ｃｍであるときに外側の高さＨ4 は１．５ｃｍ〜２ｃｍになるように形成する。このように持続的に履物を履いて歩行すると、靴底４２０の内側に向かって足が傾きながらＯ字脚が校正される。また、膝の校正効果を上げるために、履物の長手方向の前方から後方に進むにつれて傾斜面４２３ａ、４２３ｂの傾斜が大きくなるように形成してもよい。しかしながら、着靴する者の膝の湾曲度及び膝痛症度に応じて前方の傾斜が一層大きくなるように変更してもよいということはいうまでもない。
【００４２】
これとは逆に、Ｘ字脚を持った者が着靴するためには変形部材４２３の最低部が外側に形成されるように靴底４２０を製作する。このように変形部材４２３の最低部が靴底４２０の外側を向くように形成すると、Ｏ字脚を持った者のための靴底４２０と同じ原理に基づいて着用者の足が靴底４２０の外側に向かって滑ることになる。
【００４３】
上述した構成を有する靴底４２０によりＯ字脚とＸ字脚が校正されると、膝の内側または外側に集中していた荷重が膝の全体に分散されて退行性膝関節炎を予防し、その症状を緩和することができる。
【００４４】
本発明の第５の実施形態による変形部材４２３は上部部材４２２と下部部材４２４との間に介装されて変形部材４２３の傾斜方向に剪断変形を発生させる。このとき、変形部材４２３は履物の長手方向の前方及び後方の両終端から所定の間隔を除く残りの部分に配設される。このように前方及び後方の両終端から所定の間隔を除く部分に変形部材４２３を配設する理由は、足が全体的に内側または外側に向かって傾くことにより発生する足首または膝の負担を軽減するためである。このとき、変形部材４２３は上部部材４２２と下部部材４２４とを区画する傾斜面４２３ａ、４２３ｂと同じ傾斜をもって形成され、履物の長手方向の前方及び後方の両終端からそれぞれ５％〜１５％を除く中心領域に配設される。すなわち、靴底４２０の上部から加えられる力により傾斜方向に滑りながら履物を着靴した者の足の内側または外側にモーメントが作用するようにして非正常的に変形されていた下肢骨格アライメントが一層円滑かつ正常的に校正されるようにする。また、傾斜方向に滑る部分を履物の前方及び後方の終端において受け止めるため、足首及び膝の負担を軽減する。この変形部材４２３の材質としては、ゲル状の合成樹脂、ゴム、シリコン、エチレンビニールアセテート、ポリウレタン、クロロプレンゴムなどを使用する。
【００４５】
上述した構成を有する靴底４２０は、一層円滑な校正のために、図１８から図２０に示すように、幅方向の断面が逆台形状を呈するように靴底４２０の内側辺が外側辺に向かってまたは外側辺が内側辺に向かって所定の傾斜角αで傾斜する。このとき、好ましくは、傾斜角αは０°〜６０°の範囲内である。この傾斜角αは、履物を着用する者の膝の状態及び痛症の状態に応じて変更可能である。しかしながら、好適な傾斜角αは１０°〜２０°である。もし、傾斜角が６０°を超えると靴底４２０の変化があまりにも激しくなるため傾斜角αは６０°を超えないことが好ましい。
【００４６】
Ｏ字脚を持った者が着靴するためには、図１８から図２０に示すように、内側辺が外側辺に対して傾斜角αで傾斜して上部部材４２２と下部部材４２４の重心が一致しなくなる結果、靴底４２０が変形部材４２３の剪断変形により一層容易に生体の内側に向かって滑り込むためＯ字脚が校正される。
【００４７】
また、Ｘ字脚を持った者が着靴するためには、図１８から図２０とは逆に、外側辺が内側辺に対して傾斜角αで傾斜する。このように傾斜が形成されると、歩行時に中心が生体の外側に向かって滑るため、Ｘ字脚が校正される。
【００４８】
（変形例）
図２１は、本発明の変形例による靴底の左側面図である。図２１に示すように、本発明による靴底３２０、４２０の変形部材３２３、４２３は、人間の足裏のアーチ状、履物の全体形状だけではなく、着靴する者の健康状態、膝の変形状態に応じて種々に変更することができる。
【００４９】
＜膝関節靴の構成＞
通常の履物、好ましくは、膝関節靴の靴底に上述した本発明の第１の実施形態による靴底１２０から第５の実施形態による靴底４２０を各種の接着剤や製縫などの方法を用いて結合する。このような履物を履いて歩行することにより、別途の施術をすることなくＯ字脚またはＸ字脚を「ＩＩ」字状に校正することができる。
本発明による膝関節靴は、敷底２５０、７５０、８５０をさらに備えていてもよい。このような敷底２５０、７５０、８５０の構成は、下記の通りである。
【００５０】
（第６の実施形態）
図２２は、本発明の第６の実施形態に従い製作された履物の幅方向断面図である。図２２に示すように、甲皮２１０の底面に靴底２２０が貼着され、甲皮２１０の内部には敷底２５０が設けられる履物２００において、敷底２５０は幅方向に区画された傾斜面２５３ａにより形成された上部部材２５２と下部部材２５４を備えてなる。すなわち、上述した第１の実施形態と同じ傾斜構造で敷底２５０を形成する。図２２は、Ｏ字脚を持った者が着靴する履物の断面を示しているが、傾斜面２５３ａの最低部が履物２００の内側または外側に形成されてＯ字脚を持った者またはＸ字脚を持った者が履物２００に設けて着靴する。また、第１の実施形態と同様に、上部部材２５２と下部部材２５４の硬度を異ならせて製作する。
このとき、靴底２２０は通常の靴底を使用してもよく、本発明の第１の実施形態から第５の実施形態による靴底１２０、３２０、４２０、７２０、８２０を使用してもよい。
【００５１】
（第７の実施形態）
図２３は、本発明の第７の実施形態に従い製作された履物の幅方向断面図である。図２３に示すように、敷底２５０は、上部部材２５２と下部部材２５４との間に傾斜面２５３ａ、２５３ｂに沿って剪断変形を引き起こす変形部材２５３がさらに介装されてなる。すなわち、上述した第２の実施形態と同じ傾斜構造で敷底２５０を形成する。図２３は、Ｏ字脚を持った者が着靴する履物の断面を示しているが、傾斜面２５３ａ、２５３ｂの最低部が履物２００の内側または外側に形成されてＯ字脚を持った者またはＸ字脚を持った者が履物２００に設けて着靴する。
このとき、靴底２２０としては通常の靴底を使用してもよく、本発明の第１の実施形態から第５の実施形態による靴底１２０、３２０、４２０、７２０、８２０を使用してもよい。
【００５２】
（第８の実施形態）
図２４は、本発明の第８の実施形態に従い製作された履物の幅方向断面図である。図２４に示すように、敷底２５０は、幅方向断面が逆台形状を呈するように敷底２５０の内側辺２００ａが外側辺２００ｂに向かって、または外側辺２００ｂが内側辺２００ａに向かって所定の傾斜角αで傾斜した傾斜構造で形成される。このとき、傾斜角αの範囲は０°＜α≦６０°であり、傾斜面２５３ａ、２５３ｂの最低部が形成された側辺に形成される。
すなわち、上述した第３の実施形態と同様に、傾斜角α付き傾斜構造で敷底２５０を形成する。図２４は、Ｏ字脚を持った者が着靴する履物の断面を示しているが、傾斜面２５３ａ、５２３ｂの最低部が履物２００の内側または外側に形成されてＯ字脚を持った者またはＸ字脚を持った者が履物２００に設けて着靴する。
このとき、靴底２２０としては通常の靴底を使用してもよく、本発明の第１の実施形態から第５の実施形態による靴底１２０、３２０、４２０、７２０、８２０を使用してもよい。
なお、本発明の第８の実施形態と同じ傾斜角αを第６の実施形態に適用して断面が逆台形状を呈する敷底２５０を形成してもよい。
【００５３】
（第９の実施形態）
図２５は、本発明の第９の実施形態による敷底付き膝関節靴の縦断面図である。本発明の第９の実施形態による敷底７５０は、幅方向に区画された傾斜面により形成された上部部材７５２、下部部材７５４、上部部材７５２と下部部材７５４との間に介装されて傾斜面７５３ａ、７５３ｂに沿って剪断変形を引き起こす変形部材７５３を備える。すなわち、第４の実施形態または第５の実施形態による靴底３２０、４２０の傾斜構造と同じ傾斜構造で敷底７５０を形成する。このような敷底７５０の傾斜構造は、本発明の第４の実施形態または第５の実施形態による靴底３２０、４２０の傾斜構造と同様に、着用する者の膝の状態、痛症度などを考慮して種々に変更することができる。
この敷底７５０は靴底と同じ傾斜構造を有するように形成されて、履物７００を着靴したときに校正効果及び退行性膝関節炎の予防と症状の緩和効果を得ることができる。
第９の実施形態による履物７００の靴底７２０としては、通常の靴底を使用してもよく、本発明の第１の実施形態または第５の実施形態による靴底３２０、４２０を使用してもよい。
ここで、未説明符号７１０は履物の甲皮を示す。
【００５４】
（第１０の実施形態）
図２６は、本発明の第１０の実施形態による敷底付き膝関節靴の縦断面図である。本発明の第１０の実施形態による敷底８５０は、図２６に示すように、全体として第９の実施形態による敷底８５０と同様に、幅方向に区画された傾斜面により形成された上部部材８５２、下部部材８５４、上部部材８５２と下部部材８５４との間に介装されて傾斜面８５３ａ、８５３ｂに沿って剪断変形を引き起こす変形部材８５３を備える。また、幅方向断面が逆台形状を呈するように敷底８５０の内側辺が外側辺に向かって、または外側辺が内側辺に向かって所定の傾斜角αで傾斜した傾斜構造で形成される。このとき、傾斜角αは第４の実施形態による靴底３２０または第５の実施形態による靴底４２０の傾斜角と同様に０°〜６０°の範囲内であることが好ましい。この傾斜角αは、履物８００を着用する者の膝の状態及び痛症の状態に応じて変更可能である。しかしながら、好適な傾斜角αは１０°〜２０°である。もし、傾斜角が６０°を超えると敷底８５０の変化があまりにも激しくなるため傾斜角αは６０°を超えないことが好ましい。
第１０の実施形態による履物８００の靴底８２０としては、通常の靴底を使用してもよく、本発明の第１の実施形態または第５の実施形態による靴底３２０、４２０を使用してもよい。
ここで、未説明符号８１０は履物の甲皮を示す。
【００５５】
以上述べたように、本発明が属する技術分野における当業者であれば、本発明がその技術的思想や必須的特徴を変更することなく他の具体的な形態にて実施可能であるということが理解できるであろう。よって、上述した実施形態はあらゆる面で例示的なものに過ぎず、限定的なものとして解釈されてはならない。本発明の範囲は、詳細な説明よりは後述する特許請求の範囲によって開示され、特許請求範囲の意味及び範囲、ならびに等価概念から導き出されるあらゆる変更または変形された形態が本発明の範囲に含まれるものと解釈される必要がある。
【符号の説明】
【００５６】
１：Ｏ字脚を持った者の下肢アライメント、
３：大腿骨頭中心、
５：距骨頭中心、
７：膝関節中心、
９：Ｘ字脚を持った者の下肢アライメント、
１０：従来の履物、
１２：従来の履物の甲皮、
１４：従来の履物の靴底、
５０：機械軸、
７０：湾曲軸、
１００、２００、７００、８００：履物、
１００ａ、２００ａ：内側辺、
１００ｂ、２００ｂ：外側辺、
１００ｃ：天面、
１００ｄ：底面、
１１０、２１０、７１０、８１０：甲皮、
１２０、２２０、３２０、４２０、７２０、８２０：靴底、
１２２、３２２、４２２：上部部材、
１２３、３２３、４２３：変形部材、
１２３ａ、１２３ｂ、３２３ａ、３２３ｂ、４２３ａ、４２３ｂ：傾斜面、
１２４、３２４、４２４：下部部材、
２５０、７５０、８５０：敷底、
２５２、７５２、８５２：敷底の上部部材、
２５３、７５３、８５３：敷底の変形部材、
２５３ａ、２５３ｂ、７５３ａ、７５３ｂ、８５３ａ、８５３ｂ：敷底の傾斜面、
２５４、７５４、８５４：敷底の下部部材、
５００：地面、
６００：足
【図１】
2011520548.tif 000003
【図２】
2011520548.tif 000004
【図３】
2011520548.tif 000005
【図４】
2011520548.tif 000006
【図５】
2011520548.tif 000007
【図６】
2011520548.tif 000008
【図７】
2011520548.tif 000009
【図８】
2011520548.tif 000010
【図９】
2011520548.tif 000011
【図１０】
2011520548.tif 000012
【図１１】
2011520548.tif 000013
【図１２】
2011520548.tif 000014
【図１３】
2011520548.tif 000015
【図１４】
2011520548.tif 000016
【図１５】
2011520548.tif 000017
【図１６】
2011520548.tif 000018
【図１７】
2011520548.tif 000019
【図１８】
2011520548.tif 000020
【図１９】
2011520548.tif 000021
【図２０】
2011520548.tif 000022
【図２１】
2011520548.tif 000023
【図２２】
2011520548.tif 000024
【図２３】
2011520548.tif 000025
【図２４】
2011520548.tif 000026
【図２５】
2011520548.tif 000027
【図２６】
2011520548.tif 000028
【国際調査報告】
2011520548.tif 000029
2011520548.tif 000030
2011520548.tif 000031
2011520548.tif 000032